(57)【要約】【課題】別組立工程を要しないで製造及び取付けに利便性を与えることができ、取付けソケットの組立全体を簡単にする、メモリカード及びＳＩＭカード用の一体検出スイッチ付き取付けソケットの提供。【解決手段】取付けソケットは、ＳＩＭカード挿入凹部（１２）、メモリカード挿入凹部（１４）、及び挿入スロット（１５）を有する絶縁材料製のソケット本体（１０）と、ソケット本体の上面に結合されるよう構成された薄い金属製の金属ハウジング（２０）と、ソケット本体の下面に結合されるよう構成された薄い金属製の下側金属プレート（３０）と、金属ハウジング及び下側金属プレートと一体に形成され、ＳＩＭカードの挿入を検出する一体検出スイッチ（４０）とを具備する。【選択図】図２
2008299854.tif 000002
【特許請求の範囲】
【請求項１】
一体の検出スイッチを有する、メモリカード及びＳＩＭカード用の取付けソケットであって、
前記ＳＩＭカードの挿入用に上面に区画されてＳＩＭカード接続端子が露出するＳＩＭカード挿入凹部、前記メモリカードの挿入用に下面に区画されてメモリカード接続端子が露出するメモリカード挿入凹部、及び前記下面の対向する両端に形成された挿入スロットを有する絶縁材料製のソケット本体と、
前記ＳＩＭカードの挿入用の空間を区画するように前記ソケット本体の前記上面に結合されるよう構成された薄い金属製の金属ハウジングと、
前記メモリカードの挿入用の空間を区画するように前記挿入スロットを介して前記ソケット本体の前記下面に結合されるよう構成された薄い金属製の下側金属プレートと、
前記金属ハウジング及び前記下側金属プレートの電気的接続が、挿入された前記ＳＩＭカードにより遮断されると、前記ＳＩＭカード挿入凹部内への前記ＳＩＭカードの挿入を検出する、前記金属ハウジング及び前記下側金属プレートと一体に形成された一体検出スイッチと
を具備することを特徴とする取付けソケット。
【請求項２】
前記一体検出スイッチは、
打抜きにより前記金属ハウジングの上面の一端の一部に形成され、下方に曲げられるよう構成されると共に前記ＳＩＭカードの挿入に従って弾性復元可能に上方へ曲げることができる弾性曲げ片と、
前記挿入スロットの一方を超えて垂直方向に突出するよう前記下側金属プレートの一端の一部を曲げることにより形成され、前記弾性曲げ片の上方への移動に従って前記弾性曲げ片から分離されている垂直接触突起と
を有することを特徴とする請求項１記載の取付けソケット。
【請求項３】
前記弾性曲げ片は、
前記金属ハウジングの前記上面の一端の一部に切込みを入れることにより形成された切込み部と、
該切込み部の末端から斜め下方に延びると共に前記ＳＩＭカードの一端に接触して押圧されるよう構成された傾斜曲げ部と、
該傾斜曲げ部の末端から水平方向に延びる接触部とを有し、
該接触部の下面は通常、前記垂直接触突起の上端に接触することを特徴とする請求項２記載の取付けソケット。
【請求項４】
一体検出スイッチを有する、メモリカード及びＳＩＭカード用の取付けソケットであって、
前記ＳＩＭカードの挿入用に上面に区画されてＳＩＭカード接続端子が露出するＳＩＭカード挿入凹部、前記メモリカードの挿入用に下面に区画されてメモリカード接続端子が露出するメモリカード挿入凹部、及び前記下面の対向する両端に形成された挿入スロットを有する絶縁材料製のソケット本体と、
前記ＳＩＭカードの挿入用の空間を区画するように前記ソケット本体の前記上面に結合されるよう構成された薄い金属製の金属ハウジングと、
前記メモリカードの挿入用の空間を区画するように前記挿入スロットを介して前記ソケット本体の前記下面に結合されるよう構成された薄い金属製の下側金属プレートと、
前記金属ハウジング及び前記下側金属プレートが、挿入された前記ＳＩＭカードにより互いに電気的に接続されると、前記ＳＩＭカード挿入凹部内への前記ＳＩＭカードの挿入を検出する、前記金属ハウジング及び前記下側金属プレートと一体に形成された一体検出スイッチと
を具備することを特徴とする取付けソケット。
【請求項５】
前記一体検出スイッチは、
打抜きにより前記金属ハウジングの上面の一端の一部に形成され、下方に曲げられるよう構成されると共に前記ＳＩＭカードの挿入に従って弾性復元可能に上方へ曲げることができる弾性曲げ片と、
前記挿入スロットの一方を超えて垂直方向に突出するよう前記下側金属プレートの一端の一部を曲げることにより形成され、前記弾性曲げ片の上方への移動に従って前記弾性曲げ片の末端と接触する、内方へ曲げられた上端を有する曲げられた接触突起と
を有することを特徴とする請求項４記載の取付けソケット。
【請求項６】
前記弾性曲げ片は、
前記金属ハウジングの前記上面の一端の一部に切込みを入れることにより形成された切込み部と、
該切込み部の末端から斜め下方に延びると共に前記ＳＩＭカードの一端に接触して押圧されるよう構成された傾斜曲げ部と、
該傾斜曲げ部の末端から水平方向に延びる接触部とを有し、
該接触部の上面は、前記曲げられた接触突起の下端に接触することを特徴とする請求項５記載の取付けソケット。
【発明の詳細な説明】
【技術分野】
【０００１】
本発明は、メモリカード及びＳＩＭ（加入者識別モジュール）カード用の取付けソケットに関し、特にＳＩＭカードの挿入を簡単な構造で容易に検出できる一体の検出スイッチを有し、別組立工程を要しないで製造及び取付けに利便性を与えることができ、取付けソケットの組立全体を簡単にする、メモリカード及びＳＩＭカード用の取付けソケットに関する。
【背景技術】
【０００２】
一般に、携帯電話、ＰＤＡ（個人情報端末）、デジタルカメラ等の多様な機器において保存領域を拡張するために、外部要素としてメモリカードが使用されている。メモリカードの寸法及び規格に基づいて、メモリカードは、セキュアデジタル（ＳＤ）カード、マルチメディアカード（ＭＭＣ）、コンパクトフラッシュ(登録商標)（ＣＦ）、メモリースティック等の種々の形態で導入されてきた。
【０００３】
さらに、ＳＩＭカードが、例えば個人支払い情報等の保存に供し、非接触型の電子クレジットカード、トラフィックカード、プリペイドカード等として利用されている。今日、ＳＩＭカードの利用は、例えば携帯電話の種々の機能用に徐々に増加しつつある。
【０００４】
特に、携帯電話の機能はますます多様化している。クレジットカードが携帯電話機に受容されている場合、音楽及び動画のプレーヤと共に支払い手段として携帯電話を使用することができる。
【０００５】
しかし、従来の殆どの携帯電話は、ビデオオンデマンド（ＶＯＤ）又はＭＰ３プレーヤ機能を達成するためにメモリカードが組み込まれるように、主に製作されてきた。このように製作されたことは、メモリカードが携帯電話内に組み込まれているので、メモリカードの利用効率が低いという問題があり、利用者が携帯電話のメモリ容量を拡張することができない。
【０００６】
外部メモリカードは上述の問題を解決するために導入され、ＳＩＭカードと共にメモリカードを携帯電話に取り付けるための多様な技術が開発されてきた。
【０００７】
図７及び図８に示されるように、メモリカード及びＳＩＭカード用の従来の取付けソケットは、ソケット本体１００、ＳＩＭカードＳの挿入用にソケット本体１００の上面で空間を画定するようにソケット本体１００を覆う上ハウジング２００、メモリカードの挿入用にソケット本体１００の下面で空間を画定するようにソケット本体１００に結合された下側プレート３００、及びＳＩＭカードＳの挿入を検出するためにソケット本体１００の上面に設けられた検出スイッチユニット４００を有する。
【０００８】
ソケット本体１００は、ＳＩＭカードＳの挿入用に上面に区画されたＳＩＭカード挿入凹部１０２、この挿入凹部１０２のソケット本体の上面に露出するＳＩＭカード接続端子１０１、メモリカードの挿入用にソケット本体の下面に区画されたメモリカード挿入凹部１０４、及びこの挿入凹部１０４の下面に露出するメモリカード接続端子１０３を有する。
【０００９】
検出スイッチユニット４００は、挿入凹部１０２内でソケット本体１００の上面に形成された検出端子４０１、ソケット本体１００の上面に露出するように検出端子４０１の末端に対応する位置に形成されたスイッチ４０２を有する。
【００１０】
ＳＩＭカードＳがＳＩＭカード挿入凹部１０２内に挿入されると、検出端子４０１の末端は、ＳＩＭカードＳにより下方へ曲げられるので、スイッチ４０２の上面に接触するようになる。このようにして、検出スイッチユニット４００は、ＳＩＭカードＳの挿入を検出することができる。
【特許文献１】特開２００１−２８３９８７号公報
【特許文献２】特開２００２−３４３５０５号公報
【発明の開示】
【発明が解決しようとする課題】
【００１１】
しかし、上述の従来技術は、以下の問題を有している。すなわち、ＳＩＭカードの挿入を検出する取付けソケットに設けられた、検出スイッチユニットの作成及び取付けは、その構成が複雑であるため困難であることである。さらに、検出スイッチユニットの取付けは、別の組立工程を要するので、取付けソケットの組立全体が複雑になる。
【００１２】
従って、本発明は、上述の問題に鑑み案出されたものであり、ＳＩＭカードの挿入を簡単な構造で容易に検出できる一体の検出スイッチを有し、別組立工程を要しないで製造及び取付けに利便性を与えることができ、取付けソケットの組立全体を簡単にする、メモリカード及びＳＩＭカード用の取付けソケットを提供することを目的とする。
【００１３】
本発明は、金属製ハウジングを打抜き加工及び曲げ加工することにより、簡単に作成することができる一体の検出スイッチを有する、メモリカード及びＳＩＭカード用の取付けソケットを提供することを別の目的とする。
【課題を解決するための手段】
【００１４】
本発明によれば、上述の目的は、一体検出スイッチを有する、以下の構成を有するメモリカード及びＳＩＭカード用の取付けソケットの提供により達成される。すなわち、取付けソケットは、ＳＩＭカードの挿入用に上面に区画されてＳＩＭカード接続端子が露出するＳＩＭカード挿入凹部、メモリカードの挿入用に下面に区画されてメモリカード接続端子が露出するメモリカード挿入凹部、及び下面の対向する両端に形成された挿入スロットを有する絶縁材料製のソケット本体と、ＳＩＭカードの挿入用の空間を区画するようにソケット本体の上面に結合されるよう構成された薄い金属製の金属ハウジングと、メモリカードの挿入用の空間を区画するように挿入スロットを介してソケット本体の下面に結合されるよう構成された薄い金属製の下側金属プレートと、金属ハウジング及び下側金属プレートの電気的接続が、挿入されたＳＩＭカードにより遮断されると、ＳＩＭカード挿入凹部内へのＳＩＭカードの挿入を検出する、金属ハウジング及び下側金属プレートと一体に形成された一体検出スイッチとを具備する。
【００１５】
一体検出スイッチは、打抜きにより金属ハウジングの上面の一端の一部に形成され、下方に曲げられるよう構成されると共にＳＩＭカードの挿入に従って弾性復元可能に上方へ曲げることができる弾性曲げ片と、挿入スロットの一方を超えて垂直方向に突出するよう下側金属プレートの一端の一部を曲げることにより形成され、弾性曲げ片の上方への移動に従って弾性曲げ片から分離されている垂直接触突起とを有してもよい。
【００１６】
弾性曲げ片は、金属ハウジングの上面の一端の一部に切込みを入れることにより形成された切込み部と、切込み部の末端から斜め下方に延びると共にＳＩＭカードの一端に接触して押圧されるよう構成された傾斜曲げ部と、傾斜曲げ部の末端から水平方向に延びる接触部とを有し、接触部の下面は通常、垂直接触突起の上端に接触するようにしてもよい。
【００１７】
本発明の別の側面によれば、一体検出スイッチを有する、メモリカード及びＳＩＭカード用の取付けソケットが提供される。この取付けソケットは、ＳＩＭカードの挿入用に上面に区画されてＳＩＭカード接続端子が露出するＳＩＭカード挿入凹部、メモリカードの挿入用に下面に区画されてメモリカード接続端子が露出するメモリカード挿入凹部、及び下面の対向する両端に形成された挿入スロットを有する絶縁材料製のソケット本体と、ＳＩＭカード挿入用の空間を区画するようにソケット本体の上面に結合されるよう構成された薄い金属製の金属ハウジングと、メモリカードの挿入用の空間を区画するように挿入スロットを介してソケット本体の下面に結合されるよう構成された薄い金属製の下側金属プレートと、金属ハウジング及び下側金属プレートが、挿入されたＳＩＭカードにより互いに電気的に接続されると、ＳＩＭカード挿入凹部内へのＳＩＭカードの挿入を検出する、金属ハウジング及び下側金属プレートと一体に形成された一体検出スイッチとを具備する。
【００１８】
一体検出スイッチは、打抜きにより金属ハウジングの上面の一端の一部に形成され、下方に曲げられるよう構成されると共にＳＩＭカードの挿入に従って弾性復元可能に上方へ曲げることができる弾性曲げ片と、挿入スロットの一方を超えて垂直方向に突出するよう下側金属プレートの一端の一部を曲げることにより形成され、弾性曲げ片の上方への移動に従って弾性曲げ片の末端と接触する、内方へ曲げられた上端を有する曲げられた接触突起とを有してもよい。
【００１９】
弾性曲げ片は、金属ハウジングの上面の一端の一部に切込みを入れることにより形成された切込み部と、切込み部の末端から斜め下方に延びると共にＳＩＭカードの一端に接触して押圧されるよう構成された傾斜曲げ部と、傾斜曲げ部の末端から水平方向に延びる接触部とを有し、接触部の上面は、曲げられた接触突起の下端に接触するようにしてもよい。
【発明を実施するための最良の形態】
【００２０】
以下、添付図面を参照して本発明の好適な一実施形態を詳細に説明する。
【００２１】
図１は本発明に従った取付けソケットを示す斜視図であり、図２は本発明に従った取付けソケットを示す側断面図である。
【００２２】
図示されているように、本発明に従ったメモリカード及びＳＩＭカード用の取付けソケットは、非金属である絶縁材料製のソケット本体１０と、ソケット本体１０の上面に結合されるよう構成された導電性金属材料製の金属ハウジング２０と、ソケット本体１０の下面に結合されるよう構成された導電性金属材料製の下側金属プレート３０と、金属ハウジング２０及び下側金属プレート３０と一体に形成され、ＳＩＭカードＳの挿入を検出する一体検出スイッチ４０とを具備する。
【００２３】
ソケット本体１０は、ＳＩＭカードＳの挿入用にソケット本体１０の上面に区画されたＳＩＭカード挿入凹部１２と、この挿入凹部１２の下面から露出するＳＩＭカード接続端子１１と、メモリカードの挿入用にソケット本体１０の下面に区画されたメモリカード挿入凹部１４と、この挿入凹部１４から露出するメモリカード接続端子１３と、ソケット本体１０の下面の対向する両端に形成された挿入スロット１５とを有する。これら挿入スロット１５は、下側金属プレート３０をソケット本体１０の下面に結合するために使用される。
【００２４】
金属ハウジング２０は、薄い導電性金属材料製であり、ＳＩＭカード挿入用の空間を区画するようにソケット本体１０の上面に結合される。
【００２５】
下側金属プレート３０は、薄い導電性金属材料製であり、メモリカードの挿入用の空間を区画するように挿入スロット１５を介してソケット本体１０の下面に結合される。
【００２６】
一体検出スイッチ４０は、金属ハウジング２０及び下側金属プレート３０と一体に形成されている。金属ハウジング２０及び下側金属プレート３０が互いに電気的に接続する状態に、ＳＩＭカードがソケット本体１０内に挿入されると、金属ハウジング２０及び下側金属プレート３０間の電気的接続はＳＩＭカードにより遮断されるので、一体の検出スイッチ４０がＳＩＭカードの挿入を検出することができる。
【００２７】
金属ハウジング２０及び下側金属プレート３０間の電気的接続が遮断されるとＳＩＭカードの挿入を検出する上述の一体の検出スイッチ４０は、打抜きにより金属ハウジング２０の上面の一端の一部に形成され、下方に曲げられるよう構成され、ＳＩＭカードの挿入に従って弾性復元可能に上方に曲げることができる弾性曲げ片４１と、下側金属プレート３０の一端の一部を曲げることにより形成され、一方の挿入スロット１５を超えて垂直方向に突出し、弾性曲げ片４１の上方移動に従って弾性曲げ片４１から分離された垂直接触突起４２とを有する。
【００２８】
より具体的には、金属ハウジング２０に形成された弾性曲げ片４１はもともと、それらの間の電気的接続を維持するために、下側金属プレート３０に形成された垂直接触突起４２と接触する。このとき、ＳＩＭカードが挿入されると、弾性曲げ片４１は、挿入されたＳＩＭカードにより弾性復元可能に上方に曲げられることにより、垂直接触突起４２から電気的に開放されるように垂直接触突起４２から分離される。このようにして、一体の検出スイッチ４０は、ＳＩＭカードの挿入を検出することができる。
【００２９】
上述の弾性曲げ片４１は、金属ハウジング２０の上面の一端の一部に切込みを入れることにより形成された切込み部４１１と、切込み部４１１の末端から斜め下方に延びる傾斜曲げ部４１２と、傾斜曲げ部４１２の末端から水平方向に延びる接触部４１３とからなる。接触部４１３の下面は通常、垂直接触突起４２の上端に接触するようになっている。
【００３０】
切込み部４１１は、弾性復元可能に傾斜曲げ部４１２及び接触部４１３を弾性的に支持するよう作用する。傾斜曲げ部４１２は、挿入されたＳＩＭカードと接触する際に接触部４１３を上方へ移動させるよう作用し、挿入されたＳＩＭカードの一端により押圧される。接触部４１３は、傾斜曲げ部４１２により上方へ移動すると、垂直接触突起４２から分離されることにより、ＳＩＭカードの挿入を検出する。
【００３１】
図３及び図４は、ＳＩＭカードが挿入完了する直前の状態、及びＳＩＭカードが挿入完了する直後の状態をそれぞれ示す、本発明に従った取付けソケットの要部の拡大側断面図である。
【００３２】
図示されているように、金属ハウジング２０の一端の一部に切込みを入れることにより形成された、弾性曲げ片４１の接触部４１３は、下側金属プレート３０の端部に一体に形成された垂直接触突起４２の上端と密着するようになって挿入スロット１５を超えて突出し、金属ハウジング２０及び下側金属プレート３０間の電気的接続を維持する。
【００３３】
ＳＩＭカードＳが上述した電気接続状態でソケット本体１０のＳＩＭカード挿入凹部１２内に挿入されると、弾性曲げ片４１の傾斜曲げ部４１２は、ＳＩＭカードＳと接触するようになると共にＳＩＭカードＳにより押圧されることにより、接触部４１３を上方に移動させる。この結果、接触部４１３は、下側金属プレート３０の端部に一体に形成された垂直接触突起４２から分離され、金属ハウジング２０及び下側金属プレート３０間の導通を遮断する。導通の遮断により、検出スイッチ４０は、ＳＩＭカードＳの挿入を検出することができる。
【００３４】
図５は、本発明の別の実施形態の要部を示す断面図であり、図６は、ＳＩＭカードが挿入完了する直後の状態を示す、図５の要部の断面図である。
【００３５】
図示されているように、本発明の別の実施形態に従った取付けソケットの一体検出スイッチ４０は、金属ハウジング２０及び下側金属プレート３０と一体に形成されている。金属ハウジング２０及び下側金属プレート３０が互いに電気的に接続解除される状態でＳＩＭカードＳがソケット本体１０内に挿入されると、金属ハウジング２０及び下側金属プレート３０は、ＳＩＭカードＳにより互いに伝的に接続される。このため、一体検出スイッチ４０は、取付けソケットのＳＩＭカード挿入凹部１２内へのＳＩＭカードの挿入を検出することができる。
【００３６】
上述した一体検出スイッチ４０は、打抜きにより金属ハウジング２０の上面の一端の一部に形成された弾性曲げ片４１を有する。弾性曲げ片４１は、下方へ曲げられ、ＳＩＭカードの挿入に従って弾性復元可能に上方へ曲げることができる。下側金属プレート３０の一端の一部を曲げることにより形成される、曲げられた接触突起４３は、一方の挿入スロット１５を超えて垂直方向に突出する。曲げられた接触突起４３は、弾性曲げ片４１の上方への移動に従って弾性曲げ片４１の末端と接触する、内方へ曲げられた上側曲げ端を有する。
【００３７】
弾性曲げ片４１は、金属ハウジング２０の上面の一端の一部に切込みを入れることにより形成された切込み部４１１、切込み部４１１の末端から斜め下方に延びる傾斜曲げ部４１２、及び傾斜曲げ部４１２の末端から水平方向に延びる接触部４１３からなる。接触部４１３の上面は、曲げられた接触突起４３の下端に接触する。
【００３８】
金属ハウジング２０の一端の一部に切込みを入れることにより形成された弾性曲げ片４１の接触部４１３は、挿入スロット１５を超えて突出するように、下側金属プレート３０の端部に一体形成された曲げられた接触突起４３の上端から分離される。これにより、金属ハウジング２０及び下側金属プレート３０が電気的に接続解除された状態を維持する。
【００３９】
ＳＩＭカードＳが、上述した電気的に接続解除された状態でソケット本体１０のＳＩＭカード挿入凹部１２内に挿入されると、弾性曲げ片４１の傾斜曲げ部４１２は、ＳＩＭカード６と接触してＳＩＭカード６により押圧される。これにより、接触部４１３を上方へ移動させる。この結果、接触部４１３は、下側金属プレート３０の一端に一体形成された曲げられた接触突起４３と接触する。これにより、金属ハウジング２０及び下側金属プレート３０の電気的接続を達成する。この電気的接続により、検出スイッチ４０は、ＳＩＭカードＳの挿入を検出できる。
【００４０】
上述の説明から明らかなように、本発明は、一体の検出スイッチを有する、メモリカード及びＳＩＭカード用の取付けソケットを提供する。本発明の一体の検出スイッチは、その簡単な構成でＳＩＭカードの挿入を容易に検出する効果、及び別の組立工程を要することなく、製造及び取付けの利便性を達成する効果があるので、取付けソケットの組立全体を簡単にする結果となる。
【００４１】
さらに、本発明によれば、一体の検出スイッチは、金属ハウジングの打抜き及び曲げを介して簡単に製造することができる。これは、検出スイッチの製造及び取付けを著しく簡単にする効果がある。
【００４２】
本発明の好適な実施形態を例示目的で開示したが、当業者であれば、特許請求の範囲に開示された本発明の範囲及び真髄から逸脱することなく、種々の変形、付加及び置換が可能であることは明白であろう。
【図面の簡単な説明】
【００４３】
【図１】本発明に従った取付けソケットを示す斜視図である。
【図２】本発明に従った取付けソケットを示す側断面図である。
【図３】ＳＩＭカードが挿入完了する直前の状態を示す、本発明に従った取付けソケットの要部を示す拡大側断面図である。
【図４】ＳＩＭカードが挿入完了する直後の状態を示す、本発明に従った取付けソケットの要部を示す拡大側断面図である。
【図５】本発明の別の実施形態に従った要部を示す拡大側断面図である。
【図６】ＳＩＭカードが挿入完了する直後の状態を示す、図５の要部を示す拡大側断面図である。
【図７】従来技術の取付けソケットを示す斜視図である。
【図８】図７の側断面図である。
【符号の説明】
【００４４】
１０    ソケット本体
１１    ＳＩＭカード接続端子
１２    ＳＩＭカード挿入凹部
１３    メモリカード接続端子
１４    メモリカード挿入凹部
１５    挿入スロット
２０    金属ハウジング
３０    下側金属プレート
４０    一体検出スイッチ
４１    弾性曲げ片
４１１  切込み部
４１２  傾斜曲げ部
４１３  接触部
４２    垂直接触突起
４３    曲げられた接触突起
Ｓ      ＳＩＭカード
【図１】
2008299854.tif 000003
【図２】
2008299854.tif 000004
【図３】
2008299854.tif 000005
【図４】
2008299854.tif 000006
【図５】
2008299854.tif 000007
【図６】
2008299854.tif 000008
【図７】
2008299854.tif 000009
【図８】
2008299854.tif 000010